(57)【要約】【課題】組立てが便利で素早くなる効果が得られる組立て取外し便利の構造を提供する。【解決手段】管柱に定位セットと可動セットが結合され、定位セットは下結合部品と滑り止めシート及び上結合部品とからなり、可動セットは下結合部品と上結合部品とからなり、下結合部品は半円形状の円弧状で、その縁部に上から下へ係合摺動槽が設けられ、係合摺動槽の下方に封止のためのストッパー部があり、滑り止めシートは下結合部品の内側に合わせる形状で、下結合部品の内周縁に結合固定され、上結合部品は下結合部品の形状に合わせる半円形状の円弧状で、その縁部に係合摺動槽が設けられ、可動セットの構造は定位セットとほぼ同じで、滑り止めシートがないことと置物層を結合するための組立て部が設置されることが異なる。【選択図】図２
0003126532.tif 000002
【実用新案登録請求の範囲】
【請求項１】
管柱に組立てられる組立て取外し便利の構造であって、
下結合部品と滑り止めシート及び上結合部品とからなる定位セットと、下結合部品と上結合部品とからなる可動セットとが含有され、
当該定位セットは、当該下結合部品が、半円形状の円弧状で、当該下結合部品の縁部に上から下へ係合摺動槽が設けられ、当該係合摺動槽の下方に、封止のためのストッパー部があり、当該滑り止めシートが、当該下結合部品の内側に合わせる形状で、滑り止め効果を有し、当該滑り止めシートが、当該下結合部品の内周縁に結合固定され、当該上結合部品が、当該下結合部品の形状に合わせる半円形状の円弧状で、当該上結合部品の縁部に係合摺動槽が設けられ、
当該可動セットは、当該下結合部品が、半円形状の円弧状で、当該下結合部品の縁部に上から下へ係合摺動槽が設けられ、当該係合摺動槽の下方に、封止のためのストッパー部があり、当該上結合部品が、当該下結合部品の形状に合わせる半円形状の円弧状で、当該上結合部品の縁部に係合摺動槽が設けられ、当該係合摺動槽の下方に退避槽が形成され、当該上結合部品の外側に組立て部が設けられる、
ことを特徴とする組立て取外し便利の構造。
【請求項２】
管柱に組立てられる組立て取外し便利の構造であって、
下結合部品と滑り止めシート及び上結合部品とからなる定位セットが含有され、
当該定位セットは、当該下結合部品が、半円形状の円弧状で、当該下結合部品の縁部に上から下へ係合摺動槽が設けられ、当該係合摺動槽の下方に、封止のためのストッパー部があり、当該滑り止めシートが、当該下結合部品の内側に合わせる形状で、滑り止め効果を有し、当該滑り止めシートが、当該下結合部品の内周縁に結合固定され、当該上結合部品が、当該下結合部品の形状に合わせる半円形状の円弧状で、当該上結合部品の縁部に係合摺動槽が設けられ、当該上結合部品の外側に更に組立て部が設けられる、
ことを特徴とする組立て取外し便利の構造。
【請求項３】
当該定位セットの上結合部品において、係合摺動槽の下方に退避槽が形成されることを特徴とする請求項１に記載の組立て取外し便利の構造。
【請求項４】
当該可動セットの上結合部品において、係合摺動槽の下方に退避槽が形成されることを特徴とする請求項１に記載の組立て取外し便利の構造。
【考案の詳細な説明】
【技術分野】
【０００１】
本考案は、物品を整理するための家具としての放置の組立て取外し便利の構造に関し、特に、管柱に、何時でも任意の高さに置物層を設置できる構造に関する。
【背景技術】
【０００２】
物品を整理するに、良く利用される且つ最も便利なのは、物置棚であり、物置棚は、収納する物品や置き場所により、様々の種類があり、共用できるために、置物層が、何時でも調整できるのが良いが、大部分の物置棚は、置物層が、所定の間隔での所定の位置に固定されて、利用されるため、実用的ではない。そのため、管柱を利用して、管柱に、置物層を有する係止セットを設置し、当該係止セットが、管柱の任意の高さに設置できることにより、置物層の高さや間隔を変更するものは、開発された。
【０００３】
しかしながら、既存の組立て取外し可能の構造が複雑であるため、組立てが遅くて実用的とは言えない。
【考案の開示】
【考案が解決しようとする課題】
【０００４】
本考案の目的は、結合が便利で素早い組立て取外し便利の構造を提供する。
【課題を解決するための手段】
【０００５】
本考案は、上記の目的を達成するために、管柱に結合される定位セットと可動セットが、管柱に貼り付かれる１組の下結合部品と上結合部品とが結合して環状体を形成するものからなり、管柱の一端から嵌め込んで所定の位置に移動することが必要しなく、直接に、任意の位置に実装することができ、また、滑り止めシートも、直接に実装の位置に結合することができ、結合が便利で素早くなる組立て取外し便利の構造である。
【考案を実施するための最良の形態】
【０００６】
図１、２を参照しながら、管柱３０上に定位セット４０と可動セット５０とが結合され、定位セット４０は、下結合部品４１と滑り止めシート４２及び上結合部品４３とからなり、可動セット５０は、下結合部品５１と上結合部品５２とからなり、下結合部品４１は、半円形状の円弧状で、その縁部に上から下へ係合摺動槽４１１が設けられ、係合摺動槽４１１の下方に、封止のためのストッパー部４１２があり、滑り止めシート４２は、下結合部品４１の内側に合わせる形状で、ゴム材からなり、或いは、他の類似する材質からなり、滑り止め効果が得られ、当該滑り止めシート４２は、下結合部品４１の内周縁に結合固定され、上結合部品４３は、下結合部品４１の形状に合わせる半円形状の円弧状で、その縁部に係合摺動槽４３１が設けられ、係合摺動槽４３１の下方に退避槽４３２が形成され、下結合部品５１は、半円形状の円弧状で、その縁部に上から下へ係合摺動槽５１１が設けられ、係合摺動槽５１１の下方に、封止のためのストッパー部５１２があり、上結合部品５２は、下結合部品５１の形状に合わせる半円形状の円弧状で、その縁部に係合摺動槽５２１が設けられ、係合摺動槽５２１の下方に退避槽５２２が形成され、上結合部品５２の外側に組立て部５２３が設けられる。
【０００７】
組み立てる時、図１、３、４、５を参照しながら、まず、定位セット４０を、管柱３０において、予めに設定された高さに固定され、当該固定方式は、まず、滑り止めシート４２が結合された下結合部品４１を、当該管柱３０の一側に貼り付け、また、上結合部品４３を、下結合部品４１に対応するように、上方から嵌合し、上結合部品４３の係合摺動槽４３１と下結合部品４１の係合摺動槽４１１とを、対応するように、結合して環状体を形成し、上結合部品４３は、下方が、下結合部品４１のストッパー部４１２に抵当することにより、下へ滑ることなく、これにより、定位セット４０は、下結合部品４１と上結合部品４３により、管柱３０に、その周縁を囲むように固定され、また、滑り止めシート４２の滑り止め機能により管柱３０の所定の高さに定位され(図３、４を参照しながら)、また、可動セット５０も、定位セット４０の上方に位置するように、管柱３０に結合され、当該結合方式は、まず、下結合部品５１を、当該管柱３０の一側に貼り付け、また、上結合部品５２を、下結合部品５１に対応するように、上方から嵌合し、上結合部品５２の係合摺動槽５２１と下結合部品５１の係合摺動槽５１１とを、結合して環状体を形成し、上結合部品５２は、下方が、下結合部品５１のストッパー部５１２に抵当することにより、下へ滑ることなく、これにより、可動セット５０は、下結合部品５１と上結合部品５２により、管柱３０に、その周縁を囲むように、そして、定位セット４０より高い位置に固定され、また、当該可動セット５０の構造は、定位セット４０とほぼ同じで、滑り止めシート４２がないのが異なり、滑り止めシート４２による滑り止め機能がないため、自由落下により、定位セット４０によって支持され、また、自由自在に回転でき(図３、５を参照しながら)、そして、組立て部５２３を設置することにより、様々の置物層６０を結合することができ、可動セット５０上の組立て部５２３は、上結合部品５２に設置されてもよく、下結合部品５１に設置されてもよく、同じ機能が実現される。
【０００８】
管柱３０が、単一で円形状管である場合、可動セット５０が、定位セット４０により、所定の高さを回転でき（図６を参照しながら）、回転必要のない構造である場合(図７を参照しながら)、定位セット４０だけを使用し、また、定位セット４０の上に置物層６０が結合されるための組立て部５２３を設置することにより、図８、９を参照しながら、定位セット４０に、直接に置物層６０を結合する構造になる。
【０００９】
上記の具体的の実施例によれば、次の効果が得られる。定位セット４０や可動セット５０は、管柱３０に結合される時、１組としての下結合部品４１、５１と上結合部品４３、５２により結合され、環状に形成して、管柱３０に嵌合するため、管柱３０の一端から嵌め込んで所定の位置に移動することが必要しなく、直接に、任意の位置に実装することができ、また、滑り止めシート４２も、直接に実装の位置に結合することができ、そのため、本方案の構造設計は、結合が便利で素早くなる効果が得られる。
【図面の簡単な説明】
【００１０】
【図１】本考案の立体組み立て図
【図２】本考案の立体分解図
【図３】本考案の組み立ての断面図
【図４】本考案に係わる定位セットが管柱に結合される時の断面図
【図５】本考案に係わる可動セットが管柱に結合される時の断面図
【図６】本考案の実際使用状態の概念図
【図７】本考案の他の実際使用状態の概念図
【図８】本考案の他の実施例の立体分解図
【図９】本考案の他の実施例の組み立ての断面図
【符号の説明】
【００１１】
３０                 管柱
４０                 定位セット
４１                 下結合部品
４１１               係合摺動槽
４１２               ストッパー部
４２                 滑り止めシート
４３                 上結合部品
４３１               係合摺動槽
４３２               退避槽
５０                 可動セット
５１                 下結合部品
５１１               係合摺動槽
５１２               ストッパー部
５２                 上結合部品
５２１               係合摺動槽
５２２               退避槽
５２３               組立て部
６０                 置物層
【図１】
0003126532.tif 000003
【図２】
0003126532.tif 000004
【図３】
0003126532.tif 000005
【図４】
0003126532.tif 000006
【図５】
0003126532.tif 000007
【図６】
0003126532.tif 000008
【図７】
0003126532.tif 000009
【図８】
0003126532.tif 000010
【図９】
0003126532.tif 000011
【手続補正書】
【提出日】平成18年8月22日(2006.8.22)
【手続補正１】
【補正対象書類名】実用新案登録請求の範囲
【補正対象項目名】全文
【補正方法】変更
【補正の内容】
【実用新案登録請求の範囲】
【請求項１】
管柱に組立てられる係止セットであって、    下結合部品と滑り止めシート及び上結合部品とからなる定位セットと、下結合部品と上結合部品とからなる可動セットとが含有され、    当該定位セットは、当該下結合部品が、半円形状の円弧状で、当該下結合部品の縁部に上から下へ係合摺動槽が設けられ、当該係合摺動槽の下方に、封止のためのストッパー部があり、当該滑り止めシートが、当該下結合部品の内側に合わせる形状で、滑り止め効果を有し、当該滑り止めシートが、当該下結合部品の内周縁に結合固定され、当該上結合部品が、当該下結合部品の形状に合わせる半円形状の円弧状で、当該上結合部品の縁部に係合摺動槽が設けられ、    当該可動セットは、当該下結合部品が、半円形状の円弧状で、当該下結合部品の縁部に上から下へ係合摺動槽が設けられ、当該係合摺動槽の下方に、封止のためのストッパー部があり、当該上結合部品が、当該下結合部品の形状に合わせる半円形状の円弧状で、当該上結合部品の縁部に係合摺動槽が設けられ、当該係合摺動槽の下方に退避槽が形成され、当該上結合部品の外側に組立て部が設けられる、ことを特徴とする係止セット。
【請求項２】
管柱に組立てられる係止セットであって、    下結合部品と滑り止めシート及び上結合部品とからなる定位セットが含有され、    当該定位セットは、当該下結合部品が、半円形状の円弧状で、当該下結合部品の縁部に上から下へ係合摺動槽が設けられ、当該係合摺動槽の下方に、封止のためのストッパー部があり、当該滑り止めシートが、当該下結合部品の内側に合わせる形状で、滑り止め効果を有し、当該滑り止めシートが、当該下結合部品の内周縁に結合固定され、当該上結合部品が、当該下結合部品の形状に合わせる半円形状の円弧状で、当該上結合部品の縁部に係合摺動槽が設けられ、当該上結合部品の外側に更に組立て部が設けられる、ことを特徴とする係止セット。
【請求項３】
当該定位セットの上結合部品において、係合摺動槽の下方に退避槽が形成されることを特徴とする請求項１に記載の係止セット。
【請求項４】
当該可動セットの上結合部品において、係合摺動槽の下方に退避槽が形成されることを特徴とする請求項１に記載の係止セット。
【手続補正２】
【補正対象書類名】明細書
【補正対象項目名】全文
【補正方法】変更
【補正の内容】
【考案の詳細な説明】
【技術分野】
【０００１】    本考案は、物品を整理するための家具としての放置の係止セットに関し、特に、管柱に、何時でも任意の高さに置物層を設置できる構造に関する。
【背景技術】
【０００２】    物品を整理するに、良く利用される且つ最も便利なのは、物置棚であり、物置棚は、収納する物品や置き場所により、様々の種類があり、共用できるために、置物層が、何時でも調整できるのが良いが、大部分の物置棚は、置物層が、所定の間隔での所定の位置に固定されて、利用されるため、実用的ではない。そのため、管柱を利用して、管柱に、置物層を有する係止セットを設置し、当該係止セットが、管柱の任意の高さに設置できることにより、置物層の高さや間隔を変更するものは、開発された。【０００３】    しかしながら、既存の組立て取外し可能の構造が複雑であるため、組立てが遅くて実用的とは言えない。
【考案の開示】
【考案が解決しようとする課題】
【０００４】    本考案の目的は、結合が便利で素早い係止セットを提供する。
【課題を解決するための手段】
【０００５】本考案は、上記の目的を達成するために、管柱に結合される定位セットと可動セットが、管柱に貼り付かれる１組の下結合部品と上結合部品とが結合して環状体を形成するものからなり、管柱の一端から嵌め込んで所定の位置に移動することが必要しなく、直接に、任意の位置に実装することができ、また、滑り止めシートも、直接に実装の位置に結合することができ、結合が便利で素早くなる係止セットである。
【考案を実施するための最良の形態】
【０００６】    図１、２を参照しながら、管柱３０上に定位セット４０と可動セット５０とが結合され、定位セット４０は、下結合部品４１と滑り止めシート４２及び上結合部品４３とからなり、可動セット５０は、下結合部品５１と上結合部品５２とからなり、下結合部品４１は、半円形状の円弧状で、その縁部に上から下へ係合摺動槽４１１が設けられ、係合摺動槽４１１の下方に、封止のためのストッパー部４１２があり、滑り止めシート４２は、下結合部品４１の内側に合わせる形状で、ゴム材からなり、或いは、他の類似する材質からなり、滑り止め効果が得られ、当該滑り止めシート４２は、下結合部品４１の内周縁に結合固定され、上結合部品４３は、下結合部品４１の形状に合わせる半円形状の円弧状で、その縁部に係合摺動槽４３１が設けられ、係合摺動槽４３１の下方に退避槽４３２が形成され、下結合部品５１は、半円形状の円弧状で、その縁部に上から下へ係合摺動槽５１１が設けられ、係合摺動槽５１１の下方に、封止のためのストッパー部５１２があり、上結合部品５２は、下結合部品５１の形状に合わせる半円形状の円弧状で、その縁部に係合摺動槽５２１が設けられ、係合摺動槽５２１の下方に退避槽５２２が形成され、上結合部品５２の外側に組立て部５２３が設けられる。【０００７】    組み立てる時、図１、３、４、５を参照しながら、まず、定位セット４０を、管柱３０において、予めに設定された高さに固定され、当該固定方式は、まず、滑り止めシート４２が結合された下結合部品４１を、当該管柱３０の一側に貼り付け、また、上結合部品４３を、下結合部品４１に対応するように、上方から嵌合し、上結合部品４３の係合摺動槽４３１と下結合部品４１の係合摺動槽４１１とを、対応するように、結合して環状体を形成し、上結合部品４３は、下方が、下結合部品４１のストッパー部４１２に抵当することにより、下へ滑ることなく、これにより、定位セット４０は、下結合部品４１と上結合部品４３により、管柱３０に、その周縁を囲むように固定され、また、滑り止めシート４２の滑り止め機能により管柱３０の所定の高さに定位され(図３、４を参照しながら)、また、可動セット５０も、定位セット４０の上方に位置するように、管柱３０に結合され、当該結合方式は、まず、下結合部品５１を、当該管柱３０の一側に貼り付け、また、上結合部品５２を、下結合部品５１に対応するように、上方から嵌合し、上結合部品５２の係合摺動槽５２１と下結合部品５１の係合摺動槽５１１とを、結合して環状体を形成し、上結合部品５２は、下方が、下結合部品５１のストッパー部５１２に抵当することにより、下へ滑ることなく、これにより、可動セット５０は、下結合部品５１と上結合部品５２により、管柱３０に、その周縁を囲むように、そして、定位セット４０より高い位置に固定され、また、当該可動セット５０の構造は、定位セット４０とほぼ同じで、滑り止めシート４２がないのが異なり、滑り止めシート４２による滑り止め機能がないため、自由落下により、定位セット４０によって支持され、また、自由自在に回転でき(図３、５を参照しながら)、そして、組立て部５２３を設置することにより、様々の置物層６０を結合することができ、可動セット５０上の組立て部５２３は、上結合部品５２に設置されてもよく、下結合部品５１に設置されてもよく、同じ機能が実現される。【０００８】    管柱３０が、単一で円形状管である場合、可動セット５０が、定位セット４０により、所定の高さを回転でき（図６を参照しながら）、回転必要のない構造である場合(図７を参照しながら)、定位セット４０だけを使用し、また、定位セット４０の上に置物層６０が結合されるための組立て部５２３を設置することにより、図８、９を参照しながら、定位セット４０に、直接に置物層６０を結合する構造になる。【０００９】    上記の具体的の実施例によれば、次の効果が得られる。定位セット４０や可動セット５０は、管柱３０に結合される時、１組としての下結合部品４１、５１と上結合部品４３、５２により結合され、環状に形成して、管柱３０に嵌合するため、管柱３０の一端から嵌め込んで所定の位置に移動することが必要しなく、直接に、任意の位置に実装することができ、また、滑り止めシート４２も、直接に実装の位置に結合することができ、そのため、本方案の構造設計は、結合が便利で素早くなる効果が得られる。
【図面の簡単な説明】
【００１０】
【図１】本考案の立体組み立て図
【図２】本考案の立体分解図
【図３】本考案の組み立ての断面図
【図４】本考案に係わる定位セットが管柱に結合される時の断面図
【図５】本考案に係わる可動セットが管柱に結合される時の断面図
【図６】本考案の実際使用状態の概念図
【図７】本考案の他の実際使用状態の概念図
【図８】本考案の他の実施例の立体分解図
【図９】本考案の他の実施例の組み立ての断面図
【符号の説明】
【００１１】３０                 管柱４０                 定位セット４１                 下結合部品４１１               係合摺動槽４１２               ストッパー部４２                 滑り止めシート４３                 上結合部品４３１               係合摺動槽４３２               退避槽５０                 可動セット５１                 下結合部品５１１               係合摺動槽５１２               ストッパー部５２                 上結合部品５２１               係合摺動槽５２２               退避槽５２３               組立て部６０                 置物層